(57)【要約】【課題】  オブジェクトに応じてその観察される位置を調節と輻輳が略一致する位置に調整することにより両眼立体視画像の観察者に与える負荷をより低減することができる画像表示装置を提供することを目的とする。【解決手段】  オブジェクト判別部１０１が右眼用画像データ１及び左眼用画像データ２内にオブジェクトデータがあるか否かを判別し、オブジェクト位置検出部１０２がオブジェクトデータの位置を検出し、オブジェクトデータの位置に相異がある場合にオブジェクト移動部１０３がオブジェクトデータの位置を視差量が小さくなるように移動させ、両眼立体視画像表示部１０４に表示する。【選択図】  図２
2006140822.tif 000002
【特許請求の範囲】
【請求項１】
複数視点からの画像データからなる両眼立体視画像データを基に、両眼立体視可能な画像を表示する画像表示装置において、
前記両眼立体視画像データは、少なくとも右眼用画像データと左眼用画像データを有し、
前記右眼用画像データと左眼用画像データにユーザの観察時に注視を要求されるオブジェクトが含まれているかを判別するオブジェクト判別手段と、
前記右眼用画像データと左眼用画像データ内の前記オブジェクトの位置を検出する位置検出手段と、
前記位置検出手段によって検出された前記オブジェクトを移動させる移動手段とを有することを特徴とする画像表示装置。
【請求項２】
複数視点からの画像データからなる両眼立体視画像データを基に、両眼立体視可能な画像を表示する画像表示装置において、
前記両眼立体視画像データは、少なくとも右眼用画像データと左眼用画像データを有し、
前記右眼用画像データと左眼用画像データにユーザの観察時に注視を要求されるオブジェクトが含まれているかを判別するオブジェクト判別手段と、
前記右眼用画像データと左眼用画像データ内の前記オブジェクトの位置を検出する位置検出手段と、
前記位置検出手段によって検出されたオブジェクトから２次元画像を作成する２次元画像作成手段とを有することを特徴とする画像表示装置。
【請求項３】
複数視点からの画像データからなる両眼立体視画像データを基に、両眼立体視可能な画像を表示する画像表示装置において、
前記両眼立体視画像データは、少なくとも右眼用画像データと左眼用画像データを有し、
前記右眼用画像データと左眼用画像データにユーザの観察時に注視を要求されるオブジェクトが含まれているかを判別するオブジェクト判別手段と、
前記右眼用画像データと左眼用画像データ内の前記オブジェクトの位置を検出する位置検出手段と、
前記位置検出手段によって検出されたオブジェクトを表示するか前記オブジェクト以外の領域を表示するかを切り替える表示切替手段とを有することを特徴とする画像表示装置。
【請求項４】
複数視点からの画像データからなる両眼立体視画像データを基に、両眼立体視可能な画像を表示する画像表示装置において、
前記両眼立体視画像データは、少なくとも右眼用画像データと左眼用画像データを有し、
前記右眼用画像データと左眼用画像データにユーザの観察時に注視を要求されるオブジェクトが含まれているかを判別するオブジェクト判別手段と、
前記右眼用画像データと左眼用画像データ内の前記オブジェクトの位置を検出する位置検出手段と、
前記位置検出手段によって検出されたオブジェクトと該オブジェクト以外の領域とのコントラストを検知するコントラスト検知手段と、
前記コントラスト検知手段によって検知されたコントラストと予め設定された閾値とを比較する比較手段と、
前記比較手段による比較結果から前記オブジェクトのコントラストを変更するコントラスト変更手段とを有することを特徴とする画像表示装置。
【請求項５】
複数視点からの画像データからなる両眼立体視画像データを基に、両眼立体視可能な画像を表示する画像表示装置において、
前記両眼立体視画像データは、少なくとも右眼用画像データと左眼用画像データを有し、
前記右眼用画像データと左眼用画像データにユーザの観察時に注視を要求されるオブジェクトが含まれているかを判別するオブジェクト判別手段と、
前記右眼用画像データと左眼用画像データ内の前記オブジェクトの位置を検出する位置検出手段と、
前記位置検出手段によって検出されたオブジェクトのサイズを変更するサイズ変更手段とを有することを特徴とする画像表示装置。
【請求項６】
複数視点からの画像データからなる両眼立体視画像データを基に、両眼立体視可能な画像を表示する画像表示装置において、
前記両眼立体視画像データは、少なくとも右眼用画像データと左眼用画像データを有し、
前記右眼用画像データと左眼用画像データにユーザの観察時に注視を要求されるオブジェクトが含まれているかを判別するオブジェクト判別手段と、
前記右眼用画像データと左眼用画像データ内に前記オブジェクトの位置を検出する位置検出手段と、
前記位置検出手段によって検出されたオブジェクトの色もしくはオブジェクト以外の領域の色を変更する色変更手段とを有することを特徴とする画像表示装置。
【請求項７】
複数視点からの画像データからなる両眼立体視画像データを基に、両眼立体視可能な画像を表示する画像表示装置において、
前記両眼立体視画像データは、少なくとも右眼用画像データと左眼用画像データを有し、
前記右眼用画像データと左眼用画像データにユーザの観察時に注視を要求されるオブジェクトが含まれているかを判別するオブジェクト判別手段と、
前記右眼用画像データと左眼用画像データ内に前記オブジェクトの位置を検出する位置検出手段と、
前記位置検出手段によって検出されたオブジェクトと該オブジェクトの周辺領域との色差を検出する色差検出手段と、
前記色差検出手段によって検出された色差を変更する色差変更手段とを有することを特徴とする画像表示装置。
【請求項８】
前記オブジェクトは、文字列やグラフといったものであることを特徴とする請求項１から７のいずれか１項に記載の画像表示装置。
【請求項９】
前記移動手段は、前記右眼用画像データと左眼用画像データ内において、該右眼用画像データと左眼用画像データとが有する前記オブジェクトの位置が相異である場合に、視差量が小さくなるように前記オブジェクトの移動を行うことを特徴とする請求項１記載の画像表示装置。
【発明の詳細な説明】
【技術分野】
【０００１】
本発明は、画像表示装置に関し、特に、立体画像の表示を行う画像表示装置に関する。
【背景技術】
【０００２】
従来、両眼立体視可能な３次元画像表示方法の１つとして、各々異なる視点位置からの画像からなる左右両眼用の画像を観察者の左右眼に分離して提示することにより両眼視差を与えて立体的に観察可能とする方法がある。これは人間の視覚系には注視点以外の領域でも両眼情報が二重像にならずに観察可能な領域が存在するために可能となる方法である。
【０００３】
この領域は一般にPanumの融像領域として知られている。このような方法にて画像を観察すると画像内のオブジェクトが異なる奥行き位置に観察されるため、通常の２次元表示と比較すると観察者に大きなインパクトを与えることが可能となる。しかし、この方法で立体画像を観察する際には、注視点である画像表示面に両眼の調節（ピント）が合うのに対して、両眼の輻輳が一致する点は画像表示面とは相異なる位置になってしまう。
【０００４】
この結果、両眼立体視画像を長時間観察すると、視覚システムに不自然な負荷がかかり、疲労の原因となってしまう。こういった問題を解決するために特開平７−１６７６３３号公報（以下、特許文献１とする）では、画像撮影時にPanumの融像領域を考慮し、観察時に疲労の少ない画像を作成する方法が開示されている。
【特許文献１】特開平７−１６７６３３号公報
【発明の開示】
【発明が解決しようとする課題】
【０００５】
しかしながら、両眼立体視画像観察時にPanumの融像領域内にあるオブジェクトであっても、調節位置と輻輳が不一致であることになんら変わりはなく、観察者に不自然な負荷を与えるため、このオブジェクトが文章や詳細な図のような注視を要するようなオブジェクトである場合には観察者が感じる疲労は非常に大きくなってしまう。
【０００６】
本発明は係る問題に鑑みてなされたものであり、オブジェクトに応じてその観察される位置を調節と輻輳が略一致する位置に調整することにより両眼立体視画像の観察者に与える負荷をより低減することができる画像表示装置を提供することを目的とする。
【課題を解決するための手段】
【０００７】
上記目的を達成するために、請求項１記載の画像表示装置は、複数視点からの画像データからなる両眼立体視画像データを基に、両眼立体視可能な画像を表示する画像表示装置において、両眼立体視画像データは、少なくとも右眼用画像データと左眼用画像データを有し、右眼用画像データと左眼用画像データにユーザの観察時に注視を要求されるオブジェクトが含まれているかを判別するオブジェクト判別手段と、右眼用画像データと左眼用画像データ内のオブジェクトの位置を検出する位置検出手段と、位置検出手段によって検出されたオブジェクトを移動させる移動手段とを有することを特徴とする。
【０００８】
請求項２記載の画像表示装置は、複数視点からの画像データからなる両眼立体視画像データを基に、両眼立体視可能な画像を表示する画像表示装置において、両眼立体視画像データは、少なくとも右眼用画像データと左眼用画像データを有し、右眼用画像データと左眼用画像データにユーザの観察時に注視を要求されるオブジェクトが含まれているかを判別するオブジェクト判別手段と、右眼用画像データと左眼用画像データ内のオブジェクトの位置を検出する位置検出手段と、位置検出手段によって検出されたオブジェクトから２次元画像を作成する２次元画像作成手段とを有することを特徴とする。
【０００９】
請求項３記載の画像表示装置は、複数視点からの画像データからなる両眼立体視画像データを基に、両眼立体視可能な画像を表示する画像表示装置において、両眼立体視画像データは、少なくとも右眼用画像データと左眼用画像データを有し、右眼用画像データと左眼用画像データにユーザの観察時に注視を要求されるオブジェクトが含まれているかを判別するオブジェクト判別手段と、右眼用画像データと左眼用画像データ内のオブジェクトの位置を検出する位置検出手段と、位置検出手段によって検出されたオブジェクトを表示するかオブジェクト以外の領域を表示するかを切り替える表示切替手段とを有することを特徴とする。
【００１０】
請求項４記載の画像表示装置は、複数視点からの画像データからなる両眼立体視画像データを基に、両眼立体視可能な画像を表示する画像表示装置において、両眼立体視画像データは、少なくとも右眼用画像データと左眼用画像データを有し、右眼用画像データと左眼用画像データにユーザの観察時に注視を要求されるオブジェクトが含まれているかを判別するオブジェクト判別手段と、右眼用画像データと左眼用画像データ内のオブジェクトの位置を検出する位置検出手段と、位置検出手段によって検出されたオブジェクトと該オブジェクト以外の領域とのコントラストを検知するコントラスト検知手段と、コントラスト検知手段によって検知されたコントラストと予め設定された閾値とを比較する比較手段と、比較手段による比較結果からオブジェクトのコントラストを変更するコントラスト変更手段とを有することを特徴とする。
【００１１】
請求項５記載の画像表示装置は、複数視点からの画像データからなる両眼立体視画像データを基に、両眼立体視可能な画像を表示する画像表示装置において、両眼立体視画像データは、少なくとも右眼用画像データと左眼用画像データを有し、右眼用画像データと左眼用画像データにユーザの観察時に注視を要求されるオブジェクトが含まれているかを判別するオブジェクト判別手段と、右眼用画像データと左眼用画像データ内のオブジェクトの位置を検出する位置検出手段と、位置検出手段によって検出されたオブジェクトのサイズを変更するサイズ変更手段とを有することを特徴とする。
【００１２】
請求項６記載の画像表示装置は、複数視点からの画像データからなる両眼立体視画像データを基に、両眼立体視可能な画像を表示する画像表示装置において、両眼立体視画像データは、少なくとも右眼用画像データと左眼用画像データを有し、右眼用画像データと左眼用画像データにユーザの観察時に注視を要求されるオブジェクトが含まれているかを判別するオブジェクト判別手段と、右眼用画像データと左眼用画像データ内にオブジェクトの位置を検出する位置検出手段と、位置検出手段によって検出されたオブジェクトの色もしくはオブジェクト以外の領域の色を変更する色変更手段とを有することを特徴とする。
【００１３】
請求項７記載の画像表示装置は、複数視点からの画像データからなる両眼立体視画像データを基に、両眼立体視可能な画像を表示する画像表示装置において、両眼立体視画像データは、少なくとも右眼用画像データと左眼用画像データを有し、右眼用画像データと左眼用画像データにユーザの観察時に注視を要求されるオブジェクトが含まれているかを判別するオブジェクト判別手段と、右眼用画像データと左眼用画像データ内にオブジェクトの位置を検出する位置検出手段と、位置検出手段によって検出されたオブジェクトと該オブジェクトの周辺領域との色差を検出する色差検出手段と、色差検出手段によって検出された色差を変更する色差変更手段とを有することを特徴とする。
【００１４】
請求項８記載の発明は、請求項１から７のいずれか１項に記載の画像表示装置であって、オブジェクトは、文字列やグラフといったものであることを特徴とする。
【００１５】
請求項９記載の発明は、請求項１記載の画像表示装置であって、移動手段は、右眼用画像データと左眼用画像データ内において、該右眼用画像データと左眼用画像データとが有するオブジェクトの位置が相異である場合に、視差量が小さくなるようにオブジェクトの移動を行うことを特徴とする。
【発明の効果】
【００１６】
本発明によれば、両眼立体視画像データを構成する右眼用画像データと左眼用画像データに含まれているオブジェクトを視差量が小さくなるように移動させることで、両眼立体視画像中のオブジェクトを観察する際の観察者の疲労を低減させることができる。
【発明を実施するための最良の形態】
【００１７】
［第１の実施形態］
図１〜５を参照して、第１の実施形態を説明する。
図１に示すように画像データは、右眼用画像データ１は右眼用オブジェクトデータ３を有し、左眼用画像データ２には左眼用オブジェクトデータ４を有する。また、図２に示すように画像表示装置１００は、オブジェクト判別部１０１とオブジェクト位置検出部１０２、オブジェクト移動部１０３、両眼立体視画像表示部１０４から構成されている。
【００１８】
オブジェクト判別部１０１は、画像データに所定の種類のオブジェクトが含まれているかを判別する。オブジェクト位置検出部１０２は、画像データに含まれるオブジェクトの位置を検出し、オブジェクト移動部１０３は、オブジェクトの画像表示面に対する視差量が小さくなるように右眼用オブジェクトデータ３および左眼用オブジェクトデータ４のそれぞれ右眼用画像データ１および左眼用画像データ２内における位置を移動させる。両眼立体視画像表示部１０４は、上記の各ブロックで処理された右眼用画像データ１、左眼用画像データ２を表示する。
【００１９】
図３は、第１の実施形態における処理動作を示したフローチャートである。
まず、オブジェクト判別部１０１が画像データに予め決められた所定の種類のオブジェクト、例えば文字例、所定の長さ以上の文字列、グラフ等で構成される観察時に注視を要求されるオブジェクトを含むか否かを判別する（ステップＳ１０）。ここで判別するオブジェクトとして「所定の長さ以上」とあるが、この「長さ」とは以下に示すものである。
【００２０】
人間が文章を読む際には、停留と呼ばれる眼球運動が止まる状態とサッカード（跳躍性眼球運動）と呼ばれる急激な眼球運動が交互に繰り返される。停留時間は平均で２００ミリ秒から２５０ミリ秒程度であり、サッカードに関しては、視野角に換算して約２度程度であるとされている。調節位置と輻輳が一致したいわゆる通常の状態で文章を読む場合においてさえサッカードが頻繁に生じると人間の視覚システムに負荷を与えるため、調節位置と輻輳が一致しない不自然な状態で観察を行わなければならない両眼立体観察においては、サッカードは人間の視覚システムに過大な負荷を与えてしまうことになる。従って「所定の長さ」はサッカードが生じない視野角に換算して約２度の長さであることが望ましい。
【００２１】
さらに、オブジェクトが画像データに含まれるか否かの判定の仕方は以下の通りである。
対象がベクトル画像（ビットマップにレンダリングされていない画像）である場合には、文字、グラフは、それぞれオブジェクトとして画像データ中に構造化されているのでこれを検知すれば良い。これに対して、対象がビットマップ画像（レンダリングされた画像）である場合には、
（ａ）左眼用画像および右眼用画像の各々に対してSobelフィルタ等の１次微分フィルタやラプラシアンフィルタ等の２次微分フィルタ等を用いて対象画像からエッジ画像を生成する。
（ｂ）検出されたエッジ画像に対しては、濃淡画像中のピクセルを互いに近接し、且つその濃度レベルの差が閾値よりも小さいという関係に基づいてラベリングし、同一ラベルを有するピクセルからなる領域の分割し、分割後の各領域の属性を判定する方法やＯＣＲに用いられるパターン整合法や構造解析法等を用いて対象となるオブジェクト（文字、グラフ）を判定する方法がある。
【００２２】
そこで、画像データに上記のようなオブジェクトが含まれている場合は（ステップＳ１０／ＹＥＳ）、オブジェクトの位置を検出する（ステップＳ１１）。また、画像データにオブジェクトが含まれていないと判別された場合は（ステップＳ１０／ＮＯ）、判別処理を繰り返す。ここで、オブジェクト位置検出部１０２によって右眼用オブジェクトデータ３および左眼用オブジェクトデータ４の右眼用画像データ１、左眼用画像データ２内における各々の位置の検出を行う。
【００２３】
オブジェクト位置検出部１０２におけるオブジェクトの位置検出の仕方は、対象がベクトル画像である場合には、文字、グラフは、それぞれオブジェクトとして画像データ中に構造化されているので構造化されたデータの中から位置情報を取得すれば良い。対象がビットマップ画像である場合には、上記の（ａ）、（ｂ）に引き続き、
（ｃ）どちらか片方の画像において抽出された各オブジェクトを他方の画像の同じ垂直位置にて水平方向にコンボリューションを計算し、最も計算値の高い位置を特定する。特定された位置のオブジェクトが対応する画像における対応するオブジェクトと判定される。
【００２４】
画像データ内のオブジェクト位置が検出されると、次にオブジェクトの移動を行うか否かの判断をする（ステップＳ１２）。オブジェクトの移動を行わない場合は（ステップＳ１２／ＮＯ）、両眼立体画像表示部１０４に画像データを表示する（ステップＳ１３）。オブジェクトの移動を行う場合（ステップＳ１２／ＹＥＳ）、ここでは、右眼用オブジェクトデータ３および左眼用オブジェクトデータ４の右眼用画像データ１および左眼用画像データ２内における各々の位置が相異なる場合にはオブジェクトは画像表示面に対して視差を有することになるため、これを通常の両眼立体視画像として観察すると両眼の調節（ピント）位置は注視点である画像表示面に一致し、両眼の輻輳の一致する位置は画像表示面とは、相異なる位置に存在することになり、観察者の視覚系に非常に不自然な負荷を与えることとなり、特に長時間の観察や注視により観察者に疲労を生じさせる。
【００２５】
そのため、右眼用オブジェクトデータ３および左眼用オブジェクトデータ４の右眼用画像データ１および左眼用画像データ２内における各々の位置が相異なる場合に、オブジェクト移動部１０３によって該オブジェクトの画像表示面に対する視差量が小さくなるように右眼用オブジェクトデータ３および左眼用オブジェクトデータ４のそれぞれ右眼用画像データ１および左眼用画像データ２内における位置を移動させる（ステップＳ１３）。
【００２６】
オブジェクト移動部１０３におけるオブジェクトの移動の仕方は、以下の通りである。
両眼立体視画像観察次に表示面とは相異なる距離に観察されるオブジェクトの右眼用、左眼用画像における各々のローカルな位置は、水平方向にシフトしているだけであるため、移動は水平方向への移動のみを行えば良い。方法としては、
（１）移動先の画素値を移動元の画素値で上書きをする。
（２）移動元の画素値を周辺の画素値から補間処理等によって上書きする。
である。
この際、望ましくは図４に示すように各々の画像データ内における位置を等しくする。
【００２７】
次に、画像データを表示する（ステップＳ１４）。ここでは、上記の処理された右眼用画像データ１と左眼用画像データ２とを両眼立体視画像表示部１０４に表示する。
【００２８】
上記の構成及び処理動作によって、両眼立体視画像が予め決められた所定の種類のオブジェクト、例えば文字列、グラフ等で構成される観察時に注視を要求されるオブジェクトを含む場合に、オブジェクトのみに限定すれば観察者は単なる平面画像を観察することとなり、観察者の疲労を低減することが可能となる。
【００２９】
また、両眼立体視画像の表示、観察方式としては、各々の異なる１色で濃淡で構成された左右眼用の画像を提示し、観察者が左右眼に対応した２色のフィルタで構成される眼鏡を装着し観察する方式（アナグリフ方式）、左右両眼用の表示画像の偏光状態を予め異ならせておき、対応した偏光眼鏡を装着し観察する方式（偏光方式）、ＣＲＴモニタのインターレスを利用して、左右眼用の画像を別々のフィールドに経時的に提示し、フィールド周波数に同期した液晶シャッタ眼鏡を装着して観察する方式（液晶シャッタ方式）、左右眼用の画像を短冊上に分離し、交互に配置した画像を対応したレンティキュラレンズアレイを用いて、分離し特殊な眼鏡なしで観察する方式（レンティキュラレンズアレイ方式）、同様に短冊上に分離交互に配置した左右眼用の画像を対応した視差バリアを用いて分離表示し、眼鏡なしで観察する方式（視差バリア方式）等、様々な方式が知られているが、左右両眼にそれぞれ対応した画像を提示し、観察する方式であればいずれでも良い。
【００３０】
また、図５に示すようにオブジェクト移動指示部１０４を介して、使用者がオブジェクト移動の可否を指示し、使用者がオブジェクトの移動を可とした場合のみオブジェクト移動部１０２は右眼用オブジェクトデータ３および左眼用オブジェクトデータ４のそれぞれ右眼用画像データ１及び左眼用データ２内における位置を移動し、各々の各画像データ内における位置を等しくするようにしてもよい。なお、図１、４には１個のオブジェクトのみを表示しているが、同種のオブジェクトが複数あっても同様の処理を行う。
【００３１】
また、実際には画像データはオブジェクトのみならず、両眼立体視観察時に注視を要しないような他の種類のオブジェクト群を含む画像データから構成されている。
【００３２】
［第２の実施形態］
図６〜８を参照して、第２の実施形態について説明する。
第２の実施形態では、画像データに含まれるオブジェクトから２次元画像を生成するものである。
まず、オブジェクト判別部１０１が画像データに予め決められた所定の種類のオブジェクト、例えば文字列、グラフ等で構成される観察時に注視を要求されるオブジェクトを含むか否かを判別する（ステップＳ２０）。画像データにオブジェクトが含まれていない場合は（ステップＳ２０／ＮＯ）、画像データにオブジェクトが含まれているかの判別の処理を繰り返す。
【００３３】
また、画像データにオブジェクトが含まれている場合（ステップＳ２０／ＹＥＳ）、次に、２次元画像生成部１０６によって右眼用画像データ１および左眼用画像データ２から、単一視点から観察した場合の同一の２次元画像データを生成し（ステップＳ２１）、生成した２次元画像データを新たな右眼用画像データおよび左眼用画像データとして両眼立体視画像表示部１０４に表示する（ステップＳ２２）。
【００３４】
また、図８に示すように２次元画像生成指示部１０７によりユーザが２次元画像生成の可否を指示し、ユーザが２次元画像生成を可とした場合のみ２次元画像生成手段１０６は右眼用画像データ１及び左眼用画像データ２から単一視点から観察した場合の同一の２次元画像データを生成するようにしてもよい。
【００３５】
［第３の実施形態］
次に、図９〜１２を参照して、第３の実施形態について説明する。
第３の実施形態では、右眼用オブジェクトデータ３および左眼用オブジェクトデータ４の表示を切り替え可能としている。
まず、オブジェクト判別部１０１が画像データに予め決められた所定の種類のオブジェクト、例えば文字列、グラフ等で構成される観察時に注視を要求されるオブジェクトを含むか否かを判別する（ステップＳ３０）。画像データにオブジェクトが含まれていない場合は（ステップＳ３０／ＮＯ）、画像データにオブジェクトが含まれているかの判別の処理を繰り返す。画像データにオブジェクトが含まれている場合は（ステップＳ３０／ＹＥＳ）、オブジェクト位置検出部１０２が右眼用オブジェクトデータ３および左眼用オブジェクトデータ４の右眼用画像データ１および左眼用画像データ２内における各々の位置を検出する（ステップＳ３１）。
【００３６】
ステップＳ３１で検出したオブジェクトデータを移動させるか判断する（ステップＳ３２）。オブジェクトデータを移動させない場合（ステップＳ３２／ＮＯ）、右眼用オブジェクトデータ３および左眼用オブジェクトデータ４の右眼用画像データ１および左眼用画像データ２内における各々の位置が同じであると判断し、ステップＳ３４の処理を行う。また、オブジェクトデータを移動させる場合は（ステップＳ３２／ＹＥＳ）、右眼用オブジェクトデータ３および左眼用オブジェクトデータ４の右眼用画像データ１および左眼用画像データ２内における各々の位置が相異である場合であり、オブジェクトの画像表示面に対する視差量が小さくなるように位置の移動を行う。
【００３７】
次に、表示の切り替えを行うか否かの判断をする（ステップＳ３４）。表示切替部１０８によって表示の切り替えを行う場合は（ステップＳ３４／ＹＥＳ）、次に、画像の選択を行う（ステップＳ３５）。ここでは、移動された右眼用オブジェクトデータ３および左眼用オブジェクトデータ４のみを選択し、または、オブジェクト以外の領域を選択し、次に、選択した画像データを表示する（ステップＳ３６）。また、表示の切り替えを行わない場合は（ステップＳ３４／ＮＯ）、そのまま画像データを表示する（ステップＳ３６）。
【００３８】
また、図１１に示すように表示切り替え指示部１０９によって表示の切り替えをユーザに促す場合は、図１２に示すように両眼立体視画像表示部１０４に「右」、「左」と表示された２個のボタンを配置したウィンドウを表示することで、ユーザが両眼立体視画像表示部１０４に接続されている入力手段（図示せず）を利用して「右」、「左」のどちらかを選択させることができる。
【００３９】
［第４の実施形態］
第４の実施形態を図１３〜１６を参照して説明する。
第４の実施形態では、右眼用オブジェクトデータ３および左眼用オブジェクトデータ４の周辺領域とのコントラストを検知している。
図１３は、第４の実施形態におけるシステム構成図である。
第４の実施形態では、図２に示すシステムの構成にオブジェクト移動指示部１０５とコントラスト検知部１１０、コントラスト変更部１１１が加わったものである。コントラスト検知部１１０は、右眼用オブジェクトデータ３および左眼用オブジェクトデータ４の周辺領域とのコントラストを検知し、周辺領域とのコントラストが所定の値よりも大きい場合にはコントラスト変更部１１１でコントラストの変更を行う。
【００４０】
次に、図１４を参照して第４の実施形態における処理動作を説明する。
まず、オブジェクト判別部１０１が画像データに予め決められた所定の種類のオブジェクト、例えば文字列、グラフ等で構成される観察時に注視を要求されるオブジェクトを含むか否かを判別する（ステップＳ４０）。画像データにオブジェクトが含まれていない場合は（ステップＳ４０／ＮＯ）、画像データにオブジェクトが含まれているかの判別の処理を繰り返す。画像データにオブジェクトが含まれている場合は（ステップＳ４０／ＹＥＳ）、オブジェクト位置検出部１０２が右眼用オブジェクトデータ３および左眼用オブジェクトデータ４の右眼用画像データ１および左眼用画像データ２内における各々の位置を検出する（ステップＳ４１）。
【００４１】
次に、検出した右眼用オブジェクトデータ３および左眼用オブジェクトデータ４と周辺領域とのコントラストを検知し（ステップＳ４２）、コントラストを変更するか否かの判断を行う（ステップＳ４３）。コントラストを変更しない場合は（ステップＳ４３／ＮＯ）、オブジェクトデータを移動させる（ステップＳ４５）。オブジェクトデータを移動させる場合は、右眼用オブジェクトデータ３および左眼用オブジェクトデータ４の右眼用画像データ１および左眼用画像データ２内における各々の位置が相異である場合であり、オブジェクトの画像表示面に対する視差量が小さくなるように位置の移動を行う。そして、移動させたオブジェクトデータを両眼立体視画像表示部１０４にて表示する。
【００４２】
また、コントラストを変更する場合（ステップＳ４３／ＹＥＳ）、コントラスト検知部１１０で検知されたコントラストが予め設定された所定の値よりも小さい場合にコントラスト変更部１１１によってコントラストを変更する。ここで検知したコントラストと比較する所定の値について説明する。コントラスト検知部１１０が使用する所定の値とは、人間が知覚可能な明度差の閾値はほぼ０．３程度なので、最低限これよりもおおきければ良いが、見やすさを考慮すると、２０〜３０程度であった方が望ましい。また、画素値（ＲＧＢ）から明度を求めるには、デバイス（モニタ）プロファイルを利用し、各画素値を明度に変換して求める。
【００４３】
そこで、コントラスト１１１によって、検知されたコントラストが所定の値よりも大きくすることでコントラストを強調させる。コントラストを強調させるには、オブジェクトデータの明るさ成分（濃度、輝度、明度等）を変化させる。次に、コントラストを変化させたオブジェクトデータの移動を行い（ステップＳ４５）、画像データを表示する（ステップＳ４６）
【００４４】
また、図１５に示すコントラスト変更指示部１１２は、図１６に示すように両眼立体視画像表示部１０４にコントラストの強調をユーザに対して促す画面を表示させる。
【００４５】
［第５の実施形態］
図１７〜２１を参照して、第５の実施形態について説明する。
第５の実施形態では、オブジェクトサイズ変更部１１３によって右眼用オブジェクトデータ３および左眼用オブジェクトデータ４のサイズを拡大する。
図１７は、第５の実施形態におけるシステム構成図であり、図１８は、第５の実施形態における処理動作を示したフローチャートである。図１９、図２０はそれぞれ、第５の実施形態におけるシステム構成図の変形例である。
まず、オブジェクト判別部１０１が画像データに予め決められた所定の種類のオブジェクト、例えば文字列、グラフ等で構成される観察時に注視を要求されるオブジェクトを含むか否かを判別する（ステップＳ５０）。画像データにオブジェクトが含まれていない場合は（ステップＳ５０／ＮＯ）、画像データにオブジェクトが含まれているかの判別の処理を繰り返す。画像データにオブジェクトが含まれている場合は（ステップＳ５０／ＹＥＳ）、オブジェクト位置検出部１０２が右眼用オブジェクトデータ３および左眼用オブジェクトデータ４の右眼用画像データ１および左眼用画像データ２内における各々の位置を検出する（ステップＳ５１）。
【００４６】
次に、オブジェクトサイズを変更するか否かの判断を行う（ステップＳ５２）。オブジェクトサイズを変更しない場合（ステップＳ５２／ＮＯ）、オブジェクトの移動を行い（ステップＳ５４）、画像データを表示する（ステップＳ５５）。
【００４７】
また、オブジェクトサイズを変更する場合は（ステップＳ５２／ＹＥＳ）、オブジェクトサイズ変更部１１３により、右眼用オブジェクトデータ３および左眼用オブジェクトデータ４のサイズを拡大する。この際、右眼用オブジェクトデータ３および左眼用オブジェクトデータ４の右眼用画像データ１および左眼用画像データ２内における各々の位置が相異なる場合のみならず、両者の位置が等しい場合のもオブジェクトサイズの変更を行ってもよい。これにより、オブジェクトがもともと画像表示面上に観察される視差のないオブジェクトであった場合でもオブジェクトを見やすくすることが可能となる。
【００４８】
次に、オブジェクトの移動を行う（ステップＳ５４）。ここでは、オブジェクト移動部１０３により、右眼用オブジェクトデータ３および左眼用オブジェクトデータ４のそれぞれ右眼用画像データ１および左眼用画像データ２内における位置を移動し、各々の各画像データ内における位置を等しくする。そして、画像データを表示する（ステップＳ５５）。ここでは、処理された右眼用画像データおよび左眼用画像データを両眼立体視画像表示部１０４に表示する。
【００４９】
また、図１９に示すようにオブジェクトサイズ検出部１１４を設けた場合に、検出されたオブジェクトのサイズが予め決められた所定のサイズより小さい場合にのみ、オブジェクトのサイズを変更するようにしても良い。また、図２０に示すようにオブジェクトサイズ変更指示部１１５を介してユーザがオブジェクトサイズの変更の可否、および変倍率を指示し、ユーザがオブジェクトのサイズの変更を可とし、かつ変倍率を１倍以外に指定した時のみオブジェクトのサイズを変更してもよい。
【００５０】
オブジェクトサイズ変更指示部１１５によるオブジェクトの変更は、図２１に示すように、オブジェクトサイズ変更指示用ウィンドウにより、ユーザに対してサイズ変更を行うか否かを判断させる。
【００５１】
［第６の実施形態］
図２２〜２４を参照して、第６の実施形態を説明する。
第６の実施形態では、色変更部１１５により右眼用オブジェクトデータ３および左眼用オブジェクトデータ４の色を変更する。
図２２は、第６の実施形態におけるシステムの構成を示した図である。図２３は、第６の実施形態における処理動作を示したフローチャートである。図２４は、第６の実施形態におけるシステムの変形例を示した図である。
【００５２】
まず、オブジェクト判別部１０１が画像データに予め決められた所定の種類のオブジェクト、例えば文字列、グラフ等で構成される観察時に注視を要求されるオブジェクトを含むか否かを判別する（ステップＳ６０）。画像データにオブジェクトが含まれていない場合は（ステップＳ６０／ＮＯ）、画像データにオブジェクトが含まれているかの判別の処理を繰り返す。画像データにオブジェクトが含まれている場合は（ステップＳ６０／ＹＥＳ）、オブジェクト位置検出部１０２が右眼用オブジェクトデータ３および左眼用オブジェクトデータ４の右眼用画像データ１および左眼用画像データ２内における各々の位置を検出する（ステップＳ６１）。
【００５３】
次に、オブジェクトの色を変更するか否かの判断をする（ステップＳ６２）。オブジェクトの色を変更しない場合は（ステップＳ６２／ＮＯ）、オブジェクトの移動をし（ステップＳ６４）、画像データを表示する（ステップＳ６５）。
【００５４】
また、オブジェクトの色を変更する場合は（ステップＳ６２／ＹＥＳ）、ここでは、右眼用オブジェクトデータ３および左眼用オブジェクトデータ４の右眼用画像データおよび左眼用画像データ４内における各々の位置が相異なる場合のみならず、両者の位置が等しい場合にもオブジェクト色の変更を行ってもよい。これにより、オブジェクトがもともと画像表示面上に観察される視差のないオブジェクトであった場合でもオブジェクトを見やすくすることが可能となる。また、オブジェクト以外の領域の色を変更しても良い。
【００５５】
次に、オブジェクトの移動を行う（ステップＳ６４）。ここでは、オブジェクト移動部１０３が右眼用オブジェクトデータ３および左眼用オブジェクトデータ４のそれぞれ右眼用画像データ１および左眼用画像データ２内における位置を移動し、各々の各画像データ内における位置を等しくする。次に、画像データを表示する（ステップＳ６５）。ここでは、両眼立体視画像表示部１０４により処理された右眼用画像データ１および左眼画像データを表示する。
【００５６】
また、図２４に示すように色変更指示部１１７がユーザに対してオブジェクトまたは周辺領域の色の変更の可否、および変更後の色を指示し、ユーザが色の変更を可とし、かつ指示された色が元の色と異なる場合にのみ色を変更してもよい。色変更指示部１１７は、図２５に示すように両眼立体視画像表示部１０４に色変更指示用ウィンドウを表示し、変更後のＲＧＢ値の値を入力する入力欄を配置したウィンドウを表示することでユーザに変更を行うかの判断をさせる。
【００５７】
［第７の実施形態］
図２６〜２８を参照して、第７の実施形態を説明する。
第７の実施形態では、色差検知部１１８が右眼用オブジェクトデータ３および左眼用オブジェクトデータ６の周辺領域との色差を検知する。
図２６は、第７の実施形態におけるシステムの構成を示した図である。図２７は、第７の実施形態における処理動作を示したフローチャートである。図２８は第７の実施形態におけるシステムの変形例を示した図である。
【００５８】
まず、オブジェクト判別部１０１が画像データに予め決められた所定の種類のオブジェクト、例えば文字列、グラフ等で構成される観察時に注視を要求されるオブジェクトを含むか否かを判別する（ステップＳ７０）。画像データにオブジェクトが含まれていない場合は（ステップＳ７０／ＮＯ）、画像データにオブジェクトが含まれているかの判別の処理を繰り返す。画像データにオブジェクトが含まれている場合は（ステップＳ７０／ＹＥＳ）、オブジェクト位置検出部１０２が右眼用オブジェクトデータ３および左眼用オブジェクトデータ４の右眼用画像データ１および左眼用画像データ２内における各々の位置を検出する（ステップＳ７１）。
【００５９】
次に、色差を検出する（ステップＳ７２）。ここでは、右眼用オブジェクトデータ３および左眼用オブジェクトデータ４の周辺領域との色差を検知する。次に、検出した色差と予め設定されている閾値との比較を行う（ステップＳ７３）。ここで、色差と比較する閾値とは、CIELabは均等色空間であるとされているので、上述した明度差とほぼ同じ色差２０〜３０程度とすれば良い。画素値（ＲＧＢ）からLab値を求めるには、デバイス（モニタ）プロファイルを利用し、各画素値をLabに変換して求める。
【００６０】
検知した色差と閾値との差がない場合は（ステップＳ７３／ＮＯ）、オブジェクトの移動を行い（ステップＳ７５）、画像データを表示する（ステップＳ７６）。また、検知した色差と閾値との差がある場合（ステップＳ７３／ＹＥＳ）、オブジェクト色変更部１１９により、右眼用オブジェクトデータ３および左眼用オブジェクトデータ４の周辺領域との色差を閾値よりも大きくなるように右眼用オブジェクトデータ３および左眼用オブジェクトデータ４の色の変更を行う。また、オブジェクト以外の領域の色を変更しても良い。
【００６１】
次に、オブジェクト移動部１０３により、右眼用オブジェクトデータ３および左眼用オブジェクトデータ４のそれぞれ右眼用画像データ１および左眼用画像データ２内における位置を移動し（ステップＳ７５）、両眼立体視画像表示部に表示する（ステップＳ７６）。
【００６２】
また、図２８に示すようにオブジェクト色指示部１２０を設けることで、ユーザにオブジェクト色の変更するか否かの判断を促すことができ、オブジェクトに新たに設定される色がオリジナルのもとの色と子なる場合にのみオブジェクトの色を変更することができる。
【図面の簡単な説明】
【００６３】
【図１】第１の実施形態における両眼立体視画像表示部に表示されるオブジェクトを示した図である。
【図２】第１の実施形態における画像表示装置のシステムの構造を示した図である。
【図３】第１の実施形態における画像表示装置の処理動作を示したフローチャートである。
【図４】第１の実施形態における両眼立体視画像表示部に表示されるオブジェクトを示した図である。
【図５】第１の実施形態における画像表示装置のシステムの構造の変形例を示した図である。
【図６】第２の実施形態における画像表示装置のシステムの構造を示した図である。
【図７】第２の実施形態における画像表示装置の処理動作を示したフローチャートである。
【図８】第２の実施形態における画像表示装置のシステムの変形例を示した図である。
【図９】第３の実施形態における画像表示装置のシステムの構造を示した図である。
【図１０】第３の実施形態における画像表示装置の処理動作を示した図である。
【図１１】第３の実施形態における画像表示装置のシステムの構造の変形例を示した図である。
【図１２】第３の実施形態における両眼立体視画像表示部に表示したウィンドウの例を示した図である。
【図１３】第４の実施形態における画像表示装置のシステムの構造を示した図である。
【図１４】第４の実施形態における画像表示装置の処理動作を示したフローチャートである。
【図１５】第４の実施形態における画像表示装置のシステムの構造の変形例を示した図である。
【図１６】第４の実施形態における両眼立体視画像表示部に表示したウィンドウの例を示した図である。
【図１７】第５の実施形態における画像表示装置のシステムの構造を示した図である。
【図１８】第５の実施形態における画像表示装置の処理動作を示したフローチャートである。
【図１９】第５の実施形態における画像表示装置のシステムの構造の変形例を示した図である。
【図２０】第５の実施形態における画像表示装置のシステムの構造の変形例を示した図である。
【図２１】第５の実施形態における両眼立体視画像表示部に表示したウィンドウの例を示した図である。
【図２２】第６の実施形態における画像表示装置のシステムの構造を示した図である。
【図２３】第６の実施形態における画像表示装置の処理動作を示したフローチャートである。
【図２４】第６の実施形態における画像表示装置のシステムの構造の変形例を示した図である。
【図２５】第６の実施形態における両眼立体視画像表示部に表示したウィンドウの例を示した図である。
【図２６】第７の実施形態における画像表示装置のシステムの構造を示した図である。
【図２７】第７の実施形態における画像表示装置の処理動作を示したフローチャートである。
【図２８】第７の実施形態における画像表示装置のシステムの構造の変形例を示した図である。
【符号の説明】
【００６４】
１００    画像表示装置
１０１    オブジェクト判別部
１０２    オブジェクト位置検出部
１０３    オブジェクト移動部
１０４    両眼立体視画像表示部
１０５    オブジェクト移動指示部
１０６    ２次元画像生成部
１０７    ２次元画像生成指示部
１０８    表示切り替え部
１０９    表示切り替え指示部
１１０    コントラスト検知部
１１１    コントラスト変更部
１１２    コントラスト指示部
１１３    オブジェクトサイズ変更部
１１４    オブジェクトサイズ検出部
１１５    オブジェクトサイズ変更指示部
１１６    色変更部
１１７    色変更指示部
１１８    色差検知部
１１９    オブジェクト色変更部
１２０    オブジェクト色指示部
【図１】
2006140822.tif 000003
【図２】
2006140822.tif 000004
【図３】
2006140822.tif 000005
【図４】
2006140822.tif 000006
【図５】
2006140822.tif 000007
【図６】
2006140822.tif 000008
【図７】
2006140822.tif 000009
【図８】
2006140822.tif 000010
【図９】
2006140822.tif 000011
【図１０】
2006140822.tif 000012
【図１１】
2006140822.tif 000013
【図１２】
2006140822.tif 000014
【図１３】
2006140822.tif 000015
【図１４】
2006140822.tif 000016
【図１５】
2006140822.tif 000017
【図１６】
2006140822.tif 000018
【図１７】
2006140822.tif 000019
【図１８】
2006140822.tif 000020
【図１９】
2006140822.tif 000021
【図２０】
2006140822.tif 000022
【図２１】
2006140822.tif 000023
【図２２】
2006140822.tif 000024
【図２３】
2006140822.tif 000025
【図２４】
2006140822.tif 000026
【図２５】
2006140822.tif 000027
【図２６】
2006140822.tif 000028
【図２７】
2006140822.tif 000029
【図２８】
2006140822.tif 000030